(57)【要約】【課題】パネルやワイヤハーネスの向きが種々変化しても、当該ワイヤハーネスをパネルに確実に固定することができるワイヤハーネス用固定具を提供する。【解決手段】配線用クリップ１はワイヤハーネス２が取り付けられる取付部材５と取付部材５と別体に形成されかつ当該取付部材５に着脱自在であるとともにこの取付部材５に設けられた孔１１とパネル３の孔４との双方に通されて取付部材５をパネル３に固定する係止部材６とを備えている。【選択図】図１
2010126048.tif 000002
【特許請求の範囲】
【請求項１】
自動車の車体を構成するパネルにワイヤハーネスを取り付けるワイヤハーネス用固定具において、
ワイヤハーネスが取り付けられる取付部材と、
前記取付部材と別体に形成されかつ当該取付部材に着脱自在であるとともにこの取付部材に設けられた孔と前記パネルの孔との双方に通されて前記取付部材を前記パネルに固定する係止部材６と、
を備えたことを特徴とするワイヤハーネス用固定具。
【請求項２】
前記取付部材は、前記ワイヤハーネスの外周に巻きつけられるバンドと、このバンドの一端部に連なりかつ当該バンドの他端部を係合自在な係合部と、前記係合部から立設した平板状に形成されかつ前記係止部材を通す前記孔が設けられた平板部と、を備えたことを特徴とする請求項１記載のワイヤハーネス用固定具。
【請求項３】
前記係止部材は、
互いに一端部が連なりかつ他端部に向かうにしたがって互いに離れる一対の傾斜部と、
前記傾斜部の前記他端部に連なりかつ互いに平行に配置された一対の平行部と、
前記平行部の前記傾斜部から離れた端部に連なって互いに離れる方向に延在しているとともに前記平板部に重ねられる重なり部と、を備えたことを特徴とする請求項２記載のワイヤハーネス用固定具。
【発明の詳細な説明】
【技術分野】
【０００１】
本発明は、車両としての自動車などの車体を構成するパネルにワイヤハーネスを固定するためのワイヤハーネス用固定具に関する。
【背景技術】
【０００２】
車両としての自動車などには、各種の電子機器が搭載されている。自動車は、前記電子機器に、バッテリなどの電源などからの電力や制御装置からの制御信号などを伝えるために、ワイヤハーネスを配索している。ワイヤハーネスは、複数の電線と、該電線の端部などに取りつけられたコネクタなどを備えている。
【０００３】
前記電線は、それぞれ、導電性の芯線と、この芯線を被覆する絶縁性の被覆部とを備えた所謂被覆電線である。コネクタは、前記電線の芯線と電気的に接続した端子金具と、該端子金具を収容する絶縁性のコネクタハウジングと、を備えている。前記コネクタは、電子機器のコネクタとコネクタ結合する。そして、ワイヤハーネスは、電子機器に電力や各種の信号を伝える。
【０００４】
自動車の車体を構成するパネルに前述したワイヤハーネスを固定するために、従来から種々の固定具（例えば、特許文献１参照）が用いられている。この特許文献１に示された固定具は、平板状の取付部と、この取付部の両縁から立設して前記ワイヤハーネスの外周に係止する一対の係止爪と、前記取付部から前記係止爪と逆向きに立設した係止部とを一体に備えている。
【０００５】
係止部は、取付部から立設した立設片と、一対の係止片とを一体に備えている。係止片は、一端部が互いに連なっている。さらに、一対の係止片の一端部は、立設片の取付部から離れた側の先端部に連なっている。一対の係止片の他端部は、互いに間隔をあけているとともに、立設片と間隔をあけている。
【０００６】
一対の係止片は、一端部から他端部に向かうにしたがって徐々に取付部に近づく状態に配されている。一対の係止片は、一端部から他端部に向かうにしたがって互いに徐々に離れているとともに、立設片から徐々に離れている。一対の係止片は、側方からみて山形に形成されている。一対の係止片の他端部には、切欠きが設けられている。切欠きは、一対の係止片の他端部の外縁部を切り欠いている。一対の係止片は、他端部が互いに近づく方向に弾性変形可能である。
【０００７】
前述した固定具は、一対の係止爪間にワイヤハーネスが圧入されて、これら一対の係止爪がワイヤハーネスの外周に係止して、このワイヤハーネスを取付部上に保持する。そして、係止部の一対の係止片が前記パネルに設けられた孔に挿入される。他端部が互いに近づく方向に、一対の係止片は、一旦弾性変形する。その後、一対の係止片の他端部が孔内に侵入すると、弾性復元力によって一対の係止片の他端部が互いに離れる方向に変位する。そして、切欠きが孔の内縁に接触する。こうして、係止部は、前記パネルに設けられた孔に係止する。こうして、固定具は、ワイヤハーネスをパネルに固定する。
【特許文献１】特開２００４−２１８７６２
【発明の開示】
【発明が解決しようとする課題】
【０００８】
前述した従来の固定具は、係止部の一対の係止片の弾性復元力によって、取付部即ちワイヤハーネスをパネルに固定する。また、前述した従来の固定具は、係止部と取付部とが一体に形成されているので、パネルの向きやワイヤハーネスの向きによっては、前述した係止片が鉛直方向に並んだ状態で配置されることがある。この場合、一対の係止片の弾性復元力によって、取付部即ちワイヤハーネスをパネルに固定するので、ワイヤハーネスの重量などによって、係止片が孔への係止が解除される方向に変形しやすくなり、係止部がパネルの孔から抜け出やすくなる。このため、最悪の場合には、ワイヤハーネスをパネルに固定することが困難となることも考えられる。
【０００９】
したがって、本発明の目的は、パネルやワイヤハーネスの向きが種々変化しても、当該ワイヤハーネスをパネルに確実に固定することができるワイヤハーネス用固定具を提供することにある。
【課題を解決するための手段】
【００１０】
前記課題を解決し目的を達成するために、請求項１に記載の本発明のワイヤハーネス用固定具は、自動車の車体を構成するパネルにワイヤハーネスを取り付けるワイヤハーネス用固定具において、ワイヤハーネスが取り付けられる取付部材と、前記取付部材と別体に形成されかつ当該取付部材に着脱自在であるとともにこの取付部材に設けられた孔と前記パネルの孔との双方に通されて前記取付部材を前記パネルに固定する係止部材と、を備えたことを特徴としている。
【００１１】
請求項２に記載の本発明のワイヤハーネス用固定具は、請求項１に記載のワイヤハーネス用固定具において、前記取付部材は、前記ワイヤハーネスの外周に巻きつけられるバンドと、このバンドの一端部に連なりかつ当該バンドの他端部を係合自在な係合部と、前記係合部から立設した平板状に形成されかつ前記係止部材を通す前記孔が設けられた平板部と、を備えたことを特徴としている。
【００１２】
請求項３に記載の本発明のワイヤハーネス用固定具は、請求項２に記載のワイヤハーネス用固定具において、前記係止部材は、互いに一端部が連なりかつ他端部に向かうにしたがって互いに離れる一対の傾斜部と、前記傾斜部の前記他端部に連なりかつ互いに平行に配置された一対の平行部と、前記平行部の前記傾斜部から離れた端部に連なって互いに離れる方向に延在しているとともに前記平板部に重ねられる重なり部と、を備えたことを特徴としている。
【００１３】
請求項１に記載した本発明のワイヤハーネス用固定具によれば、係止部材を取付部材と別体に構成し、かつこの係止部材を取付部材の孔とパネルの孔との双方に通して、取付部材をパネルに取り付けるので、取付部材に対する係止部材の向きを適宜変更することができる。
【００１４】
請求項２に記載した本発明のワイヤハーネス用固定具によれば、取付部材がバンドと係合部とを備えているので、バンドをワイヤハーネスに巻きつけて係合部に係合させるだけで、取付部材をワイヤハーネスに容易に取り付けることができる。
【００１５】
請求項３に記載した本発明のワイヤハーネス用固定具によれば、係止部材が一対の傾斜部と一対の平行部と一対の重なり部とを備えているので、孔に係止した状態で一対の重なり部を互いに近づけることにより容易に係止部材の孔に対する係止を解除することができる。
【発明の効果】
【００１６】
以上説明したように、請求項１に記載の本発明は、取付部材に対する係止部材の向きを適宜変更することができるので、パネルの向きやワイヤハーネスの向きが適宜変化しても、係止部材を常に適切な状態で孔に係止する状態に位置付けることができる。よって、パネルやワイヤハーネスの向きが種々変化しても、当該ワイヤハーネスをパネルに確実に固定することができる。
【００１７】
係止部材を取付部材と別体に構成しているので、パネルの厚みが適宜変化しても、種々の寸法の係止部材を用意しておくことで、取付部材を変更することなく、最適な係止部材を選択することで、ワイヤハーネスをパネルに確実に取り付けることができる。
【００１８】
請求項２に記載の本発明は、バンドをワイヤハーネスに巻きつけて係合部に係合させるだけで、取付部材をワイヤハーネスに容易に取り付けることができる。
【００１９】
請求項３に記載の本発明は、孔に係止した状態で一対の重なり部を互いに近づけることにより容易に係止部材の孔に対する係止を解除することができるので、ワイヤハーネスのパネルへの着脱を容易に行うことができる。
【発明を実施するための最良の形態】
【００２０】
以下、本発明の一実施形態にかかるワイヤハーネス用固定具としての配線用クリップ１を、図１ないし図４を参照して説明する。図１などに示す配線用クリップ１は、移動体としての自動車に配索されるワイヤハーネス２（図１などに二点鎖線で示す）を、該自動車のパネル３（図１などに示す）などに固定する。
【００２１】
ワイヤハーネス２は、互いに束ねられた複数の電線と、該電線の端部などに取りつけられたコネクタなどを備えている。電線は、導電性の芯線と、該芯線を被覆する絶縁性の被覆部とを備えた被覆電線である。コネクタは、導電性の端子金具と、絶縁性のコネクタハウジングとを備えている。端子金具は、電線の芯線と電気的に接続される。コネクタハウジングは箱状に形成されかつ内側に端子金具を収容する。ワイヤハーネス２は、コネクタが各種の電子機器のコネクタとコネクタ結合して、これらの電子機器に電力や各種の信号を伝える。パネル３は、前記自動車の車体を構成する。パネル３には、図１などに示すように、孔４が設けられている。また、図１に示す例では、パネル３は、その表面が水平方向と平行となる状態に配置されている。
【００２２】
配線用クリップ１は、図１に示すように、互いに別体の取付部材５と、係止部材６とを備えている。これらの取付部材５及び係止部材６は、合成樹脂からなる。
【００２３】
取付部材５は、図２（ａ）及び図２（ｂ）に示すように、帯板状に形成されて可とう性を有するバンド７と、四角筒状の係合部８と、支持板部９と、平板状の平板部１０とを一体に備えている。バンド７は、その一方の表面に、当該バンド７の長手方向に沿って凹部と凸部とが交互に配置されている。勿論、凹部は、前記一方の表面から凹に形成され、かつ、凸部は、前記一方の表面から凸に形成されている。バンド７は、ワイヤハーネス２の外周に巻きつけられる。
【００２４】
係合部８は、バンド７の一端部に連なっている。また、係合部８は、その内側にバンド７に設けられた前記凹部に係合可能な係合アームを一体に設けている。係合部８は、その内側にバンド７の他端部が通され、かつ係合アームが当該他端部に設けられた凹部に係合することで、バンド７を輪状に位置付ける。係合部８は、バンド７を輪状に位置付けることで、バンド７をワイヤハーネス２の外周に巻きつけられた状態に維持する。
【００２５】
支持板部９は、厚手の平板状に形成されかつその表面上に係合部８を設けている。支持板部９の表面は、係合部８内に通されるバンド７の他端部の長手方向即ち係合部８の内側に設けられた孔と平行に配置されている。
【００２６】
平板部１０は、厚手の平板状に形成されている。平板部１０は、支持板部９のバンド７の一端部寄りの縁から当該バンド７から離れる方向に立設している。即ち、平板部１０は、支持板部９を介して係合部８から立設している。平板部１０の表面は、支持板部９の表面に対して直交している。また、平板部１０には、当該平板部１０を貫通した孔１１が設けられている。前述した平板部１０は、パネル３の表面に重ねられる。平板部１０がパネル３の表面に重ねられると、孔１１はパネル３の孔４に重なる。即ち、平板部１０は、パネルの孔４，１１が互いに連通する位置に重ねられる。なお、孔４，１１は、係止部材６の後述する傾斜部１２及び平行部１３を内側に通す。
【００２７】
前述した構成の取付部材５は、ワイヤハーネス２の外周に巻きつけられたバンド７の他端部が係合部８の内側に挿入されて、係合アームが凹部に係合することで、当該ワイヤハーネス２が取り付けられる。このとき、バンド７の長手方向とワイヤハーネス２の長手方向とは、互いに交差（図１では直交）する。
【００２８】
係止部材６は、図３（ａ）、図３（ｂ）及び図３（ｃ）に示すように、一対の傾斜部１２と、一対の平行部１３と、一対の重なり部１４とを一体に備えている。これらの傾斜部１２、平行部１３及び重なり部１４は、厚手の平板状に形成されている。一対の傾斜部１２は、一端部が互いに連なり、他端部に向かうにしたがって徐々に互いに離れるように配置されている。一対の傾斜部１２は、側方からみて山形に形成されている。
【００２９】
平行部１３は、傾斜部１２の他端部に連なりかつこの傾斜部１２から離れる方向に延在している。また、一対の平行部１３は、互いに間隔をあけて平行に配置されている。また、平行部１３と傾斜部１２との間には、これらの外面側に一対の傾斜部１２の外面間の間隔よりの一対の平行部１３の外面間の間隔を狭くする段部１５が設けられている。
【００３０】
重なり部１４は、平行部１３の傾斜部１２から離れた側の端部に連なっている。重なり部１４は、前述した端部から互いに離れる方向に延在している。重なり部１４の表面は、平行部１３の表面に対して交差（直交）している。
【００３１】
前述した係止部材６は、一対の重なり部１４及び平行部１３が互いに接離するように弾性変形自在となっている。また、係止部材６は、その弾性変形していない中立状態で、平行部１３が互いに平行である。そして、前述した係止部材６は、傾斜部１２の一端部側から前述した孔４，１１内に圧入される。すると、係止部材６は、傾斜部１２の他端部が孔１１の内面などに接触して、重なり部１４同士及び平行部１３同士が互いに近づく方向に弾性変形する。
【００３２】
そして、係止部材６は、更に、孔４，１１内に挿入されて、傾斜部１２の他端部が孔４内を抜け出ると、重なり部１４が平板部１０に密に重なり、弾性復元力により中立状態に復帰して段部１５がパネル３の内面に密に接触する。そして、係止部材６は、段部１５と平板部１０との間にパネル３及び平板部１０を挟み込んで、取付部材５の平板部１０即ち当該取付部材５に取付られたワイヤハーネス２をパネル３に固定する。こうして、係止部材６は、孔１１と孔４との双方に通されて取付部材５をパネル３に固定する。
【００３３】
また、係止部材６は、取付部材５の平板部１０即ち当該取付部材５に取付られたワイヤハーネス２をパネル３に固定した状態で、一対の重なり部１４が互いに近づけられて、傾斜部１２が孔４，１１内から抜き取られることで、段部１５のパネル３の孔４の周りへの係止が解除される。こうして、係止部材６は、取付部材５に着脱自在となっている。
【００３４】
前述した構成の配線用クリップ１は、以下に示すように、ワイヤハーネス２をパネル３に固定する。バンド７をワイヤハーネス２の外周に巻きつけて、当該バンド７の他端部を係合部８内に挿入して、当該バンド７の他端部を係合部８に固定して、ワイヤハーネス２を取付部材５に取り付ける。そして、孔１１がパネル３の孔４に重なるように、平板部１０をパネル３に重ねる。そして、傾斜部１２の一端部側から孔４，１１内に係止部材６を圧入して、当該係止部材６によりパネル３に取付部材５を固定して、ワイヤハーネス２をパネル３に取り付ける。
【００３５】
本実施形態によれば、係止部材６を取付部材５と別体に構成し、かつこの係止部材６を取付部材５の孔１１とパネル３の孔４との双方に通して、取付部材５をパネル３に取り付けるので、取付部材５に対する係止部材６の向きを適宜変更することができる。
【００３６】
このために、例えば、図４に示すように、パネル３の表面が鉛直方向と平行な状態であっても、図４中に一点鎖線で示す傾斜部１２及び平行部１３が鉛直方向に並ぶ状態ではなく、図４中に実線で示す傾斜部１２及び平行部１３が水平方向に並ぶ状態に係止部材６を位置付けて、当該係止部材６が取付部材５即ちワイヤハーネス２をパネル３に固定することができる。
【００３７】
このように、パネル３の向きやワイヤハーネス２の向きが適宜変化しても、係止部材６を常に適切な状態で孔４，１１に係止する状態である傾斜部１２及び平行部１３が水平方向に並ぶ状態に位置付けることができる。よって、パネル３やワイヤハーネス２の向きが種々変化しても、当該ワイヤハーネス２をパネル３に確実に固定することができる。
【００３８】
また、係止部材６を取付部材５と別体に構成しているので、パネル３の厚みが適宜変化しても、種々の寸法の係止部材６を用意しておくことで、取付部材５を変更することなく、最適な係止部材６を選択することで、ワイヤハーネス２をパネル３に確実に取り付けることができる。
【００３９】
さらに、取付部材５がバンド７と係合部８とを備えているので、バンド７をワイヤハーネス２に巻きつけて係合部８に係合させるだけで、取付部材５をワイヤハーネス２に容易に取り付けることができる。
【００４０】
また、係止部材６が一対の傾斜部１２と一対の平行部１３と一対の重なり部１４とを備えているので、孔４，１１に係止した状態で一対の重なり部１４を互いに近づけることにより容易に係止部材６の孔４，１１に対する係止を解除することができる。よって、ワイヤハーネス２のパネル３への着脱を容易に行うことができる。
【００４１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４２】
【図１】本発明の一実施形態にかかる配線用クリップを一部断面で示す側面図である。
【図２】（ａ）は図１に示された配線用クリップの取付部材の平面図であり、（ｂ）は図２（ａ）に示された取付部材の側面図である。
【図３】（ａ）は図１に示された配線用クリップの係止部材の正面図であり、（ｂ）は図３（ａ）に示された係止部材の側面図であり、（ｃ）は図３（ａ）に示された係止部材の平面図である。
【図４】図１に示された配線用クリップが鉛直方向と平行なパネルに取り付けられる状態を一部断面で示す側面図である。
【符号の説明】
【００４３】
１  配線用クリップ（ワイヤハーネス用固定具）
２  ワイヤハーネス
３  パネル
４  孔
５  取付部材
６  係止部材
７  バンド
８  係合部
１０  平板部
１１  孔
１２  傾斜部
１３  平行部
１４  重なり部
【図１】
2010126048.tif 000003
【図２】
2010126048.tif 000004
【図３】
2010126048.tif 000005
【図４】
2010126048.tif 000006